(57)【要約】      （修正有）【課題】正面パネルには両カップを有し、カップの外方向へはバックパネルを延ばすと共にバックパネル先端には互いに係止するフック−アイを取付け、そしてカップの上縁とバックパネル上縁を連結する肩ストラップを着脱可能に取付け、ネックレスに相当する身装品を取付できるブラジャーの提供。【解決手段】両ストラップ４ａ，４ｂにはクサリの中央部に装飾品を取付けた身装品を先端に設けた連結金具にて取付け、又両カップ１ａ，１ｂの内縁に結び紐７を取付けている。【選択図】図１
0003133284.tif 000002
【実用新案登録請求の範囲】
【請求項１】
正面パネルには両カップを有し、該カップの外方向へはバックパネルを延ばすと共にバックパネル先端には互いに係止するフック−アイを取付け、そしてカップの上縁とバックパネル上縁を連結する肩ストラップを着脱可能に取付けているブラジャーにおいて、上記両ストラップにはクサリや紐の中央部に装飾品を取付けた身装品の先端を連結して取付け、又両カップの内縁に結び紐を取付けたことを特徴とするブラジャー。
【請求項２】
上記肩ストラップには複数のリングを有す取付けリングを設け、このリングに身装品の先端に設けた連結金具を連結した請求項１記載のブラジャー。
【請求項３】
正面パネルには両カップを有し、該カップの外方向へはバックパネルを延ばすと共にバックパネル先端には互いに係止するフック−アイを取付け、そして両カップの上縁に先端を係止して連結する首ストラップを有すブラジャーにおいて、両カップの内縁に結び紐を取付けたことを特徴とするブラジャー。
【考案の詳細な説明】
【技術分野】
【０００１】
本考案は自分の好みに合った身装品を取付けることが出来るブラジャーに関するものである。
【背景技術】
【０００２】
ブラジャーは女性の下着の１つであり、バストを支えると共に該バストの形を整える為に着用されている。ブラジャーとしての基本的な形状は共通しており、左右には互いに連結した両カップを有し、該カップから外方向へバックパネルを延ばして先端にはフック−アイを設け、又カップ上方には肩ストラップを延ばしてバックパネルと連結している。
【０００３】
図５は従来のブラジャーであり、(ａ)は正面図、(ｂ)は背面図を表しているが、近年のブラジャーはバスト形状を整える為に、カップ（イ）、（イ）の下縁には円弧状に湾曲したワイヤーが挿通する為のワイヤーループ（ロ）、（ロ）が設けられ、又上辺テープ（ハ）、及び下辺テープ（ニ）が設けられ、柔軟な骨が挿通するボーンケース（ホ）、（ホ）・・を所々に有している。又、ブラジャーの表面はその外観を向上させる為に、レース生地を縫い付けしたり、色々な模様を設けるなどの工夫が施されている場合が多い。
【０００４】
そして、着用する被服が肩を露出するようなものである場合には、上記ブラジャーの肩ストラップ（ヘ）、（ヘ）が表面化することを防止する為に、該肩ストラップ（ヘ）、（ヘ）を備えないブラジャーも存在している。従って、この形態のブラジャーでは両バックパネル（ト）、（ト）の先端を互いに連結することで着用することが出来る。
【０００５】
一方、女性は外出する際にはブラジャーの着用は勿論であるが、ファッションの１つとしてネックレスを身に付ける場合が多く、このネックレスは首に掛けて着用している。しかし、近年では金属アレルギーの人が多く、これらの人は金属製のネックレスを身に付けることが出来ない。
【考案の開示】
【考案が解決しようとする課題】
【０００６】
女性にとってブラジャーはバストを支えると共に形を整える為の下着として必需品の１つである。本考案はこのブラジャーを利用して金属アレルギーの人であってもネックレスを身に付けることが出来るブラジャーを提供する。
【課題を解決するための手段】
【０００７】
本考案のブラジャーとしての基本形態は従来のものと共通している。すなわち、左右に両カップを有し、両カップからは外方向へバックパネルを延ばし、バックパネル先端には互いに連結できるようにフック−アイを設けている。そして、カップ上縁とバックパネルを繋ぐ肩ストラップを備え、該肩ストラップは着脱可能としている。
【０００８】
そして、該肩ストラップには複数の係止部を設け、該係止部には身装品を係止して取付けることが出来るようにしている。ここで、該身装品の具体的な形態は限定しないことにするが、クサリやワイヤー（紐）を備え、該クサリ両端部が上記係止部に係止して連結される。クサリの中央部には宝石などの装飾品が取付けられ、ブラジャーを着用して上記身装品を取付けることで、ネックレスを身に付けている場合と同じようになる。
【０００９】
又、本考案のブラジャーの両カップ間には結び紐が取付けられ、該結び紐を締めることで両カップの間隔を調整可能としている。更に、肩ストラップの代わりに首ストラップが取付できるような形態と成っている。そこで、肩ストラップ及び首ストラップの両端には係止金具が取付けられ、ブラジャーのカップ上縁及びバックパネルに設けている金具に係止出来る構造としている。
【考案の効果】
【００１０】
本考案のブラジャーは、肩ストラップを取外すことが出来、そして首ストラップを取付けることが出来る。従って、着用する被服に応じてブラジャーの肩ストラップ及び首ストラップを使い分けることが可能である。そして、ストラップなしでブラジャーを着用する場合、カップとバスト間に隙間が発生するケースがあるが、本考案では両カップに跨って結んである結び紐を締めることでカップ間隔を縮めて該隙間の発生を防止できる。
【００１１】
一方、該ブラジャーの肩ストラップには身装品を連結して取付け出来る。従って、該身装品が金属製の材質で構成されている場合であっても、該身装品は肌に直接接する部分が殆どない為に、金属アレルギーの人であっても該ブラジャーを介して身に付けることが可能となる。肩ストラップに取付けた身装品は一般のネックレスを首に掛けている場合と同じようになる。
【実施例】
【００１２】
図１は本考案に係るブラジャーであり、その基本的な形態は従来のものと共通し、正面パネル２にはカップ１ａ，１ｂが左右対称に縫い付けされ、正面パネル２の両側にはバックパネル３ａ，３ｂが外方向へ延びている。そして、バックパネル３ａ，３ｂの先端にはフック−アイが取付けられている連結部を有している。同図は肩ストラップ４ａ，４ｂが取外された状態であるが、該肩ストラップ４ａ，４ｂの両端には係止金具５ａ，５ｂ及び６ａ，６ｂが取付けられている。
【００１３】
正面側の係止金具５ａ，５ｂはカップ１ａ，１ｂの上縁に設けている金具(図示なし)に係止して連結し、背面側の係止金具５ａ，６ｂはバックパネル３ａ，３ｂの上縁に取付けられている金具に係止して連結することが出来る。そこで、該ブラジャーを着用する場合には、両カップ１ａ，１ｂをバストに当てて被覆し、肩ストラップ４ａ，４ｂを肩に掛けると共にバックパネル３ａ，３ｂの先端のフック−アイを互いに係止して連結する。
【００１４】
そして、両カップ１ａ，１ｂの間には結び紐７が設けられ、該結び紐７を締めることで両カップ１ａ，１ｂの間隔は縮小し、逆に弛めるならば両カップ１ａ，１ｂの間隔は拡大する。該カップ１ａ，１ｂの内縁に沿って複数のリング(図示なし)が設けられており、該結び紐７はこれらリングに挿通されてジグザグ状を成し、両端部は結ばれている。ジグザグを成して設けられる結び紐７は両カップ１ａ，１ｂの間隔調整の他にブラジャーのデザインの１つとして機能している。
【００１５】
又、本考案のブラジャーの肩ストラップ４ａ，４ｂには身装品８が取付けられている。図２は上記身装品８の具体例であり、クサリ９に所定の間隔をおいて「Ｌ」、「Ｏ」、「Ｖ」、「Ｅ」のアルファベット文字を吊り下げている。そして、クサリ９の両端には連結金具１０ａ，１０ｂが取付けられ、この連結金具１０ａ，１０ｂは肩ストラップ４ａ，４ｂに連結される。
【００１６】
図３は片方の肩ストラップ４ａを表す具体例である。肩ストラップ４ａは帯状のバンドであり、その両端にはカップ１ａとバックパネル３ａに係止する為の係止金具５ａ，６ａが取付けられている。そして、肩ストラップ４ａの長さを調整出来るように、長さ調整金具１６ａが設けられている。そして、肩ストラップ４ａの正面側には取付けリング１０ａが取着されている。
【００１７】
該取付けリング１０ａは複数のリング１１ａ，１１ａ・・が連結して構成され、両端に設けた連結金具１２ａ，１２ａが肩ストラップ４ａに縫い付けられている取付けリング１３ａ，１３ａに連結して取付けられている。そこで、図２に示した身装品８のクサリ９の一方側に設けている連結金具１０ａは上記肩ストラップ４ａの取付けリング１０ａのリング１１ａに連結することが出来る。
【００１８】
連結リング１１ａ，１１ａ・・は複数個存在しており、連結金具１０ａは適当な高さにあるリング１１ａと連結することが出来る。反対側の肩ストラップ４ｂも同じように構成され、身装品８のクサリ９の連結金具１０ｂが連結して取付けられる。
【００１９】
ところで、本考案のブラジャーの３通りの使用について説明する。
（１）普通のブラジャーの着用方法は従来通りであり、両カップ１ａ，１ｂをバストに当てがって肩ストラップ４ａ，４ｂを肩に掛け、そしてバックパネル３ａ，３ｂの先端に設けているフック−アイを互いに係止して連結する。肩ストラップ４ａ，４ｂには身装品８のクサリ９の両端が連結しており、該クサリ中央部に吊り下げている「ＬＯＶＥ」のアルファベット文字が胸元に配置される。
（２）肩ストタップ４ａ，４ｂを取外してブラジャーを着用する場合。
肩を露出する被服を着用する場合には、ブラジャーの肩ストラップ４ａ，４ｂが邪魔になることから、該肩ストラップ４ａ，４ｂを取外すことが出来る。この場合、カップ１ａ，１ｂとバストとの間に隙間が発生するケースがあり、これを防止する為に結び紐７を締めて両カップ１ａ，１ｂの間隔を縮小する。
（３）肩ストラップ４ａ，４ｂの代わりに首ストラップ１４を取付けてブラジャーを着用する場合。
細い帯状の首ストラップ１４の両端には係止金具１５ａ，１５ｂが取付けられ、この係止金具１５ａ，１５ｂはカップ１ａ，１ｂの上縁に設けている金具（図示なし）に係止して連結し、該首ストラップ１４は首に掛けることが出来る。この金具は肩ストラップ４ａ，４ｂの係止金具５ａ，５ｂが係止する金具を兼用することも可能であるが、首ストラップ１４は首に掛けることから、肩ストラップ４ａ，４ｂの係止金具５ａ，５ｂが係止する金具より内側に設けられている。
【００２０】
図４は本考案に係る別形態のブラジャーを表している。ブラジャーの基本形態は前記図１の実施例と同じであるが、肩ストラップ４ａ，４ｂの形状、及び首ストラップ１４の形状が多少違っている。勿論、両肩ストラップ４ａ，４ｂに跨って身装品８が取付けられ、ネックレスを着用しているように見られる。
【図面の簡単な説明】
【００２１】
【図１】本考案に係るブラジャーの実施例。
【図２】ブラジャーの肩ストラップに取付けられる身装品。
【図３】肩ストラップの具体例。
【図４】本考案に係るブラジャーの他の実施例。
【図５】従来のブラジャー。
【符号の説明】
【００２２】
１  カップ
２  正面パネル
３  バックパネル
４  肩ストラップ
５  係止金具
６  係止金具
７  結び紐
８  身装品
９  クサリ
10  連結金具
11  リング
12  連結金具
13  取付けリング
14  首ストラップ
15  係止金具
16  長さ調整金具
【図１】
0003133284.tif 000003
【図２】
0003133284.tif 000004
【図３】
0003133284.tif 000005
【図４】
0003133284.tif 000006
【図５】
0003133284.tif 000007